(57)【要約】      （修正有）【課題】無味乾燥だった各種のセレモニーが対象者（物）の生き様を彷彿とさせる非常に感銘の深いものとする。【解決手段】セレモニー開始と同時に対象者（物）の表情が数箇所のスクリーン及びモニターに映し出される。その中の表情が連続的に成長し、それが終るとまた成長の初期へと遡って映しだされている。何度かそれを繰り返すうちに、ある年齢になったときに表情の変化がストップして全体像が現れ、対象者（物）の生活のエピソードが映像として対象者（物）を主人公としての映像が始まる。【選択図】図１
2009301522.tif 000002
【特許請求の範囲】
【請求項１】
セレモニーが始ると対象者（物）の表情を現在より成長初期の時まで遡って映し出す。
【請求項２】
映し出された対象者（物）を主人公としての映像を製作し数台のスクリーン及びモニターに映し出す。
【発明の詳細な説明】
【技術分野】
【０００１】  本発明は各セレモニーでその対象となる個人の現在より成長初期までの表情の変化を見せたり、特定の年齢のときの対象者（物）を主人公としての映像を映し出す。
【背景技術】
【０００２】    従来は、対象者（物）の業績や生い立ちの紹介は、音声によるか、過去のビデオを映す位だった。
【発明が解決しようとする課題点】
【０００３】    従来は次のような欠点があった。
（イ）セレモニーといえば型に嵌ったやり方しかなかった。
（ロ）対象者（物）の成長を紹介するものとしては、音声や写真や単なる                    過去の映像しかなかった。
【課題を解決するための手段】
【０００４】    セレモニーの最中に目的の個人の顔を現在より誕生の時まで遡って映し出し、その対象者（物）を主人公としてのエピソード映像をスクリーンに映し出す。
【発明の効果】
【０００５】      本発明を利用すれば、無味乾燥だった各種のセレモニーがだったのが、その人の人生を彷彿とさせるように成る為、非常に感銘の深い各種セレモニーとなる。
【実施例】    本発明のシステムは、数台の表示画面、スピーカー、メインコンピューターで成り立っている。メインコンピュウターの中にはモーフィング及びアニメ作成ソフトが入っている。【０００６】次に使用方法を説明する。コンピューターのモーフィング及びアニメ作成ソフトを起動させると、セレモニー会場の数台のモニターにセレモニー対象者（物）の成長してきた映像が映し出される。サンプルとして１から８のイメージイラストを用意した。１から８の絵はモーフィングソフト処理されているので、連続的に形を変えながら、現在期から幼少期まで変化した後は、また現在期へ戻る。これをエンドレスで繰り返している。モーフィング及びアニメ作成ソフトには音声も録音出来るので、適当なナレーションもかかっている。或る時間になると繰り返している表情のなかの１つで止まり、その表情の時代のエピソードが始まる。サンプルとしてここでは、ＡからＤまでのエピソードイラストを用意した。ＡからＤまでのエピソードイラストは、対象者（物）の実際の生活の１部が参列者にわかるものとなっている。勿論ナレーションも入っている。セレモニーの最中この映像と音声は任意の設定時間中放映される。
【図面の簡単な説明】図９                              本発明の構成機器のサンプルイラスト図である
図１、２、３、４、５、６、７、８  本発明のサンプルイメージイラスト図である。
図Ａ、Ｂ、Ｃ、Ｄ                  本発明のサンプルエピソードイラスト図である。
【図９】
2009301522.tif 000003
【図１】
2009301522.tif 000004
【図２】
2009301522.tif 000005
【図３】
2009301522.tif 000006
【図４】
2009301522.tif 000007
【図５】
2009301522.tif 000008
【図６】
2009301522.tif 000009
【図７】
2009301522.tif 000010
【図８】
2009301522.tif 000011
【図Ａ】
2009301522.tif 000012
【図Ｂ】
2009301522.tif 000013
【図Ｃ】
2009301522.tif 000014
【図Ｄ】
2009301522.tif 000015
【手続補正書】
【提出日】平成20年11月5日(2008.11.5)
【手続補正２】
【補正対象書類名】明細書
【補正対象項目名】全文
【補正方法】変更
【補正の内容】
【発明の詳細な説明】
【技術分野】
【０００１】  本発明は各セレモニーでその対象となる個人の現在より成長初期までの表情の変化を見せたり、特定の年齢のときの対象者（物）を主人公としての映像を映し出す。
【背景技術】
【０００２】    従来は、対象者（物）の業績や生い立ちの紹介は、音声によるか、過去のビデオを映す位だった。
【発明の開示】
【発明が解決しようとする課題】
【０００３】    従来は次のような欠点があった。
（イ）セレモニーといえば型に嵌ったやり方しかなかった。
（ロ）対象者（物）の成長を紹介するものとしては、音声や写真や単なる過去                の映像しかなかった。
【課題を解決するための手段】
【０００４】    セレモニーの最中に目的の個人の顔を現在より誕生の時まで遡って映し出し、その対象者（物）を主人公としてのエピソード映像をスクリーンに映し出す。
【発明の効果】
【０００５】      本発明を利用すれば、無味乾燥だった各種のセレモニーが、対象者（物）の人生を      彷彿とさせるように成る為、非常に感銘の深い各種セレモニーとなる。
【実施例】    本発明のシステムは、数台の表示画面、スピーカー、メインコンピューターで成り立っている。メインコンピュウターの中にはモーフィング及びアニメ作成ソフトが入っている。【０００６】次に使用方法を説明する。コンピューターのモーフィング及びアニメ作成ソフトを起動させると、図１のセレモニー会場の数台のモニターにセレモニー対象者（物）の成長してきた映像が映し出される。サンプルとして図２から図１０のイメージイラストを用意した。図２から図１０の絵はモーフィングソフト処理されているので、連続的に形を変えながら、現在期から幼少期まで変化した後は、また現在期へ戻る。これをエンドレスで繰り返している。モーフィング及びアニメ作成ソフトには音声も録音出来るので、適当なナレーションもかかっている。或る時間になると繰り返している表情のなかの１つで止まり、その表情の時代のエピソードが始まる。サンプルとしてここでは、図１１から図１５までのエピソードイラストを用意した。図１１から図１５までのエピソードイラスト対象者（物）の実際の生活の１部が参列者にわかるものとなっている。
勿論セリフ・ナレーションも入っている。セレモニーの最中この映像と音声は任意の設定時間中放映される。
【図面の簡単な説明】
【０００７】
【図１】      本発明の構成機器のサンプルイラスト図である
【図２】      本発明のサンプルイメージイラスト図である。
【図３】      本発明のサンプルイメージイラスト図である。
【図４】      本発明のサンプルイメージイラスト図である。
【図５】      本発明のサンプルイメージイラスト図である。
【図６】      本発明のサンプルイメージイラスト図である。
【図７】      本発明のサンプルイメージイラスト図である。
【図８】      本発明のサンプルイメージイラスト図である。
【図９】      本発明のサンプルイメージイラスト図である。
【図１０】      本発明のサンプルイメージイラスト図である。
【図１１】      本発明のサンプルエピソードイラスト図である。
【図１２】      本発明のサンプルエピソードイラスト図である。
【図１３】      本発明のサンプルエピソードイラスト図である。
【図１４】      本発明のサンプルエピソードイラスト図である。
【図１５】      本発明のサンプルエピソードイラスト図である。
【手続補正３】
【補正対象書類名】図面
【補正対象項目名】全図
【補正方法】変更
【補正の内容】
【図１】
2009301522.tif 000016
【図２】
2009301522.tif 000017
【図３】
2009301522.tif 000018
【図４】
2009301522.tif 000019
【図５】
2009301522.tif 000020
【図６】
2009301522.tif 000021
【図７】
2009301522.tif 000022
【図８】
2009301522.tif 000023
【図９】
2009301522.tif 000024
【図１０】
2009301522.tif 000025
【図１１】
2009301522.tif 000026
【図１２】
2009301522.tif 000027
【図１３】
2009301522.tif 000028
【図１４】
2009301522.tif 000029
【図１５】
2009301522.tif 000030